(57)【特許請求の範囲】
【請求項１】
１以上のプロダクトについての注文の支払トランザクションを処理する方法であって、
ネットワークサーバにて、第１の金融機関のサーバから、前記支払トランザクションの承認についての承認要求メッセージを受信するステップであって、前記承認要求は、トークン主要アカウント番号（「トークンＰＡＮ」）であって、第２の金融機関での支払アカウントに関連付けられ、且つ、前記１以上のプロダクトの存在を検出するよう構成された電子装置に関連付けられるトークン主要アカウント番号を含む、ステップと、
前記トークンＰＡＮに基づいて、前記支払トランザクションが遅延清算プロトコルに応じて処理されることを判定するステップとを含み、前記判定は、
前記遅延清算プロトコルに関連付けられた複数のトークンＰＡＮを含むデータベースにアクセスすることと、
前記トークンＰＡＮが前記データベース内の前記複数のトークンＰＡＮのうち１つであると判定することと、
前記ネットワークサーバにて、前記第１の金融機関のサーバから、少なくとも１つの清算提示メッセージを含む清算提示ファイルを受信することであって、前記清算提示メッセージは前記支払トランザクションの詳細を含む、ことと、
前記支払トランザクションを前記遅延清算プロトコルに応じて処理することと、
によって実行され、
前記支払トランザクションを処理することは、
前記電子装置のセンサが前記１以上のプロダクトの存在を検出したことを示す受領メッセージを前記ネットワークサーバが前記電子装置から受信したか否かを判定することと、
前記電子装置の前記センサが前記１以上のプロダクトの存在を検出したことを示すメッセージを前記ネットワークサーバが受信しないと判定すると、前記清算提示メッセージが拒否されたことを示すエラーメッセージを前記第１の金融機関に返すことと、によって実行される、方法。
【請求項２】
請求項１に記載の方法において、更に、
前記ネットワークサーバにて、前記電子装置の前記センサが前記１以上のプロダクトの存在を検出したことを示すメッセージを、前記電子装置から受信するステップと、
前記第２の金融機関のサーバへ、前記清算提示メッセージを送信するステップとを含む方法。
【請求項３】
請求項１に記載の方法において、更に、
前記ネットワークサーバにて、前記電子装置の前記センサが前記１以上のプロダクトの存在を検出したことを示す受領メッセージを、前記電子装置から受信するステップと、
前記ネットワークサーバから前記第１の金融機関のサーバへ、前記支払トランザクションが更なる清算提示メッセージに含まれるよう要求する確認メッセージを送信するステップと、
前記ネットワークサーバにて、前記第１の金融機関の前記サーバから、前記清算提示メッセージを含む更なる清算提示ファイルを受信するステップであって、前記更なる清算提示メッセージは前記支払トランザクションの詳細を含む、ステップと、
清算のために、前記第２の金融機関のサーバへ、前記清算提示ファイルを送信するステップと、を含む方法。
【請求項４】
少なくとも１つの通信ノードと、データベースを格納したメモリと、請求項１乃至３のいずれか１項に記載のステップを実行するよう構成されたプロセッサとを含むシステム。
【請求項５】
１以上のプロダクトについての注文の支払トランザクションを、前記１以上のプロダクトの存在を検出するよう構成されたセンサを含む電子装置を用いて開始及び完了する方法であって、前記方法は前記電子装置の中央処理装置によって実装され、
前記電子装置のインターネット通信ノードを用いて、販売者サーバへ、トークン主要アカウント番号（「トークンＰＡＮ」）を、前記支払トランザクションの承認のために送信するステップであって、前記トークンＰＡＮは遅延清算プロトコルに応じてネットワークサーバにて処理されるよう事前に構成され、前記ネットワークサーバは、前記１以上のプロダクトが前記センサによって検出されたことを示す確認メッセージを前記ネットワークサーバが受信するまで、前記支払トランザクションの完了を遅延させる、ステップと、
前記センサを用いて、前記１以上のプロダクトの存在を検出するステップであって、前記１以上のプロダクトの存在を検出することは、
前記電子装置の前記センサからデータ測定情報を取得することと、
前記データ測定情報が前記電子装置に格納されたプロダクト特徴付けデータに対応することを判定することであって、前記プロダクト特徴付けデータは、前記１以上のプロダクトに対応する前記データ測定情報の期待値を示す、ことと、
前記電子装置のインターネット通信ノードを用いて、ネットワークサーバへ受領メッセージを送信するステップであって、前記受領メッセージは、前記１以上のプロダクトが前記センサによって検出されたことと、前記支払トランザクションが完了されることとを示す、ステップと、を含む方法。
【請求項６】
請求項５に記載の方法において、更に、
前記電子装置から前記ネットワークサーバへ、トークンＰＡＮのプロビジョニング要求を送信するステップであって、前記トークンＰＡＮのプロビジョニング要求は、資金供給ＰＡＮと、前記電子装置を識別する装置識別子と、前記トークンＰＡＮを用いてなされる支払が前記遅延清算プロトコルに応じて処理されることを示す標示とを含み、前記ネットワークサーバは前記１以上のプロダクトが前記センサによって検出されたことを示す前記確認メッセージを受信するまで、前記支払トランザクションの完了を遅延させる、ステップと、
前記ネットワークサーバから前記トークンＰＡＮを受信するステップと、
を含む方法。
【請求項７】
請求項５又は６に記載の方法において、更に、
前記電子装置にて前記販売者サーバから、前記１以上のプロダクトを特徴付けるプロダクト特徴付けデータを受信して、前記１以上のプロダクトが前記センサからのデータ測定情報との比較によって識別されることを可能にするステップを含む方法。
【請求項８】
請求項５乃至７のいずれか一項に記載の方法において、前記プロダクト特徴付けデータは、前記１以上のプロダクトの重さに対応する重さデータと、前記１以上のプロダクトの量に対応する量データと、前記１以上のプロダクトの構成部分の数に対応する数情報と、前記１以上のプロダクト上のバーコードに対応するバーコードデータと、前記１以上のプロダクト上のＱＲコードタグに対応するＱＲコードデータと、前記１以上のプロダクト上のＲＦＩＤタグに対応するＲＦＩＤデータとのうち１つ以上を含む、方法。
【請求項９】
請求項５乃至８のいずれか一項に記載の方法において、更に、前記販売者サーバと通信することによって、前記電子装置から、前記１以上のプロダクトについての注文を開始するステップを含み、前記注文は、所定の基準に基づいて開始され、前記所定の基準は、
以前の注文から所定の時間が経過したことと、
現在日時が所定の日時と等しいことと、
品目の除去が前記電子装置の前記センサによって検出されたことと、
のうち１つである、方法。
【請求項１０】
第１のプロダクトについての注文の支払トランザクションを、前記第１のプロダクトの存在を検出するよう構成されたセンサを含む電子装置を用いて開始及び遅延させる方法であって、前記方法は前記電子装置の中央処理装置によって実装され、
前記電子装置のインターネット通信ノードを用いて、販売者サーバへ、トークン主要アカウント番号（トークンＰＡＮ）を含む支払詳細を、前記支払トランザクションの承認のために送信するステップであって、前記トークンＰＡＮは遅延清算プロトコルに応じてネットワークサーバにて処理されるよう事前に構成され、前記ネットワークサーバは、前記第１のプロダクトが前記センサによって検出されたことを示す確認メッセージを前記ネットワークサーバが受信するまで、前記支払トランザクションの完了を遅延させる、ステップと、
前記センサを用いて、第２のプロダクトの存在を検出するステップであって、前記第２のプロダクトの存在を検出することは、
前記電子装置の前記センサからデータ測定情報を取得することと、
前記データ測定情報が前記電子装置に格納されたプロダクト特徴付けデータに対応しないことを判定することであって、前記プロダクト特徴付けデータは、前記第１のプロダクトに対応する前記データ測定情報の期待値を示す、こととを含む、ステップと、
前記電子装置のインターネット通信ノードを用いて、前記販売者サーバへ不受領メッセージを送信するステップであって、前記不受領メッセージは、前記第１のプロダクトではなく前記第２のプロダクトが前記センサによって検出されたことを示す、ステップと、
を含む方法。
【請求項１１】
センサとインターネット通信ノードとを含む電子装置であって、請求項５乃至１０のいずれか一項に記載の方法を実行するよう構成される電子装置。
【請求項１２】
請求項１１に記載の電子装置において、前記装置はスマート格納装置であり、前記プロダクトを格納するのに適切な格納用区画室を含む、電子装置。
【請求項１３】
請求項１２に記載の電子装置において、
前記スマート格納装置はスマート冷蔵庫であり、且つ、前記格納用区画室は冷却された区画室である、又は、
前記スマート格納装置は車両であり、且つ、前記格納用区画室は燃料用容器である、電子装置。
【請求項１４】
請求項１１乃至１３のいずれか一項に記載の電子装置において、前記センサはＱＲコードリーダとバーコードリーダと秤とカメラと光電セルとＲＦＩＤリーダとのうち１つ以上である、電子装置。
【発明の詳細な説明】
【関連出願の相互参照】
【０００１】
本願は、欧州特許出願第17150569.6号（2017年1月6日出願）の優先権を主張する。上記出願の開示全体は参照によってここに取り込まれる。
【技術分野】
【０００２】
本開示は１以上のプロダクトについての注文の支払トランザクションを出し及び処理する方法及びシステムに関する。特に、一実施形態は、プロダクトの注文を出して処理する方法及びシステムに関する。ここでは、支払の処理は、プロダクトが無事に受領されるまで遅延する。
【背景技術】
【０００３】
支払カードのトランザクション処理の分野は、成功したトランザクションを処理するように良好に実装される。ここでは、関連する全ての当事者は、自身のそれぞれの義務を履行する。そのような実施形態では、販売者は自身の金融機関（アクワイアラ機関）によって迅速な承認の提供を受け、顧客に商品を提供する。このときアカウント間の資金移転は、後日、金融機関同士の間で調整され実行される。
【０００４】
トランザクションが金融機関によって承認されるとき、更なる複雑な状況が生じる。しかし、販売者から顧客への商品の移転は、（例えばオンライン販売者でなされた注文が、予期された通りに到達しないときに）成功裏に完了しない。販売者と顧客との間の商品の移転についての独立した処理と、金融機関同士の間の支払処理とによって、商品が成功裏に配送されないことは、必ずしも、商品についての支払の完了を妨げない。そのような状況で支払を防ぐために、カード保有者又はカード保有者の金融機関（発行者機関）は、介入して、支払を防ぎ又は取消すよう要求される。これは、特に仲裁及び紛争解決において、かなりの人が関わる必要がある。更に、２つの不要なトランザクション（誤ったトランザクション及び誤ったトランザクションを取消す更なるトランザクション）に関するデータを交換する要求は、発行者機関及びアクワイアラ機関の両方の通信及び処理システム（及び２つの機関の間の仲介者として動作する支払ネットワーク提供者）に、不要な負担をかける。
【０００５】
したがって、注文が成功裏に完了しないときに、カード保有者又は金融機関に対し、介入して支払を取消すことを要求しない支払システムが必要とされている。
【発明の概要】
【０００６】
第１の態様は、１以上のプロダクトについての注文の支払トランザクションを処理する方法であって、
ネットワークサーバにて、第１の金融機関のサーバから、前記支払トランザクションの承認についての承認要求メッセージを受信するステップであって、前記承認要求は、トークン主要アカウント番号（「ＰＡＮ」）であって、第２の金融機関での支払アカウントに関連付けられ、且つ、前記１以上のプロダクトの存在を検出するよう構成された電子装置に関連付けられるトークン主要アカウント番号を含む、ステップと、
前記トークンＰＡＮに基づいて、前記支払トランザクションが遅延清算プロトコルに応じて処理されることを判定するステップとを含み、前記判定は、
前記遅延清算プロトコルに関連付けられた複数のトークンＰＡＮを含むデータベースにアクセスすることと、
前記トークンＰＡＮが前記データベース内の前記複数のトークンＰＡＮのうち１つであると判定することと、
前記ネットワークサーバにて、前記第１の金融機関のサーバから、少なくとも１つの清算提示メッセージを含む清算提示ファイルを受信することであって、前記清算提示メッセージは前記支払トランザクションの詳細を含む、ことと、
前記支払トランザクションを前記遅延清算プロトコルに応じて処理することと、
によって実行され、
前記支払トランザクションを処理することは、
前記電子装置の前記センサが前記１以上のプロダクトの存在を検出したことを示す受領メッセージを前記ネットワークサーバが前記電子装置から受信したか否かを判定することと、
前記電子装置の前記センサが前記１以上のプロダクトの存在を検出したことを示すメッセージを前記ネットワークサーバが受信しないと判定すると、前記清算提示メッセージが拒否されたことを示すエラーメッセージを前記第１の金融機関に返すことと、によって実行される、方法が開示される。
【０００７】
上記の方法は、物理的なプロダクトの受領が格納装置にて検出されるまで、支払の完了を遅延させることが可能である。注文、格納及び支払処理を実行可能な単一の技術システムを使用することによって、注文についての支払トランザクションについての以前の異なる複数の態様を、技術レベルで組み合わせることが可能である。
【０００８】
好適には、方法は、
前記ネットワークサーバにて、前記電子装置の前記センサが前記１以上のプロダクトの存在を検出したことを示すメッセージを、前記電子装置から受信するステップと、
前記第２の金融機関のサーバへ、前記清算提示メッセージを送信するステップとを含む。
【０００９】
好適には、方法は、
前記ネットワークサーバにて、前記電子装置の前記センサが前記１以上のプロダクトの存在を検出したことを示す受領メッセージを、前記電子装置から受信するステップと、
前記ネットワークサーバから前記第１の金融機関のサーバへ、前記支払トランザクションが更なる清算提示メッセージに含まれるよう要求する確認メッセージを送信するステップと、
前記ネットワークサーバにて、前記第１の金融機関の前記サーバから、前記清算提示メッセージを含む更なる清算提示ファイルを受信するステップであって、前記更なる清算提示メッセージは前記支払トランザクションの詳細を含む、ステップと、
清算のために、前記第２の金融機関のサーバへ、前記清算提示ファイルを送信するステップと、を含む。
【００１０】
第２の態様によれば、少なくとも１つの通信ノードと、データベースを格納したメモリと、第１の態様のステップを実行するよう構成されたプロセッサとを含むシステムが提供される。
【００１１】
第３の態様によれば、
１以上のプロダクトについての注文の支払トランザクションを、前記１以上のプロダクトの存在を検出するよう構成されたセンサを含む電子装置を用いて開始及び完了する方法であって、
前記電子装置のインターネット通信ノードを用いて、販売者サーバへ、トークン主要アカウント番号（「ＰＡＮ」）を、前記支払トランザクションの承認のために送信するステップであって、前記トークンＰＡＮは遅延清算プロトコルに応じてネットワークサーバにて処理されるよう事前に構成され、前記ネットワークサーバは、前記１以上のプロダクトが前記センサによって検出されたことを示す確認メッセージを前記ネットワークサーバが受信するまで、前記支払トランザクションの完了を遅延させる、ステップと、
前記センサを用いて、前記１以上のプロダクトの存在を検出するステップであって、前記１以上のプロダクトの存在を検出することは、
前記電子装置の前記センサからデータ測定情報を取得することと、
前記データ測定情報が前記電子装置に格納されたプロダクト特徴付けデータに対応することを判定することであって、前記プロダクト特徴付けデータは、前記１以上のプロダクトに対応する前記データ測定情報の期待値を示す、ことと、
前記電子装置のインターネット通信ノードを用いて、ネットワークサーバへ受領メッセージを送信するステップであって、前記受領メッセージは、前記１以上のプロダクトが前記センサによって検出されたことと、前記支払トランザクションが完了されることとを示す、ステップと、を含む方法が提供される。
【００１２】
好適には、方法は、
前記電子装置から前記ネットワークサーバへ、トークンＰＡＮのプロビジョニング要求を送信するステップであって、前記トークンＰＡＮのプロビジョニング要求は、資金供給ＰＡＮと、前記電子装置を識別する装置識別子と、前記トークンＰＡＮを用いてなされる支払が前記遅延支払プロトコルに応じて処理されることを示す標示とを含み、前記ネットワークサーバは前記１以上のプロダクトが前記センサによって検出されたことを示す前記確認メッセージを受信するまで、前記支払トランザクションの完了を遅延させる、ステップと、
前記ネットワークサーバから前記トークンＰＡＮを受信するステップと、
を含む。
【００１３】
好適には、方法は、
前記電子装置にて前記販売者サーバから、前記１以上のプロダクトを特徴付けるプロダクト特徴付けデータを受信して、前記１以上のプロダクトが前記センサからのデータ測定情報との比較によって識別されることを可能にするステップを含む。
【００１４】
好適には、方法は、
前記プロダクト特徴付けデータは、前記１以上のプロダクトの重さに対応する重さデータと、前記１以上のプロダクトの量に対応する量データと、前記１以上のプロダクトの構成部分の数に対応する数情報と、前記１以上のプロダクト上のバーコードに対応するバーコードデータと、前記１以上のプロダクト上のＱＲコードタグに対応するＱＲコードデータと、前記１以上のプロダクト上のＲＦＩＤタグに対応するＲＦＩＤデータとのうち１つ以上を含む。
【００１５】
好適には、方法は、
更に、前記販売者サーバと通信することによって、前記電子装置から、前記１以上のプロダクトについての注文を開始するステップを含み、前記注文は、所定の基準に基づいて開始され、前記所定の基準は、
以前の注文から所定の時間が経過したことと、
現在日時が所定の日時と等しいことと、
品目の除去が前記電子装置の前記センサによって検出されたことと、
のうち１つである。
【００１６】
第４の態様によれば、
第１のプロダクトについての注文の支払トランザクションを、前記第１のプロダクトの存在を検出するよう構成されたセンサを含む電子装置を用いて開始及び遅延させる方法であって、
前記電子装置のインターネット通信ノードを用いて、販売者サーバへ、トークン主要アカウント番号（ＰＡＮ）を含む支払詳細を、前記支払トランザクションの承認のために送信するステップであって、前記トークンＰＡＮは遅延清算プロトコルに応じてネットワークサーバにて処理されるよう事前に構成され、前記ネットワークサーバは、前記第１のプロダクトが前記センサによって検出されたことを示す確認メッセージを前記ネットワークサーバが受信するまで、前記支払トランザクションの完了を遅延させる、ステップと、
前記センサを用いて、第２のプロダクトの存在を検出するステップであって、前記第２のプロダクトの存在を検出することは、
前記電子装置の前記センサからデータ測定情報を取得することと、
前記データ測定情報が前記電子装置に格納されたプロダクト特徴付けデータに対応しないことを判定することであって、前記プロダクト特徴付けデータは、前記第１のプロダクトに対応する前記データ測定情報の期待値を示す、こととを含む、ステップと、
前記電子装置のインターネット通信ノードを用いて、前記販売者サーバへ不受領メッセージを送信するステップであって、前記不受領メッセージは、前記第１のプロダクトではなく前記第２のプロダクトが前記センサによって検出されたことを示す、ステップと、
を含む方法が提供される。
【００１７】
第５の態様によれば、
センサとインターネット通信ノードとを含む電子装置であって、第３又は第４の態様に記載の方法を実行するよう構成される電子装置が提供される。
【００１８】
好適には、前記装置はスマート格納装置であり、前記プロダクトを格納するのに適切な格納用区画室を含む、電子装置。
【００１９】
好適には、
前記スマート格納装置はスマート冷蔵庫であり、且つ、前記格納用区画室は冷却された区画室である、又は、
前記スマート格納装置は車両であり、且つ、前記格納用区画室は燃料用容器である。
【００２０】
好適には、前記センサはＱＲコードリーダとバーコードリーダと秤とカメラと光電セルとＲＦＩＤリーダとのうち１つ以上である。
【図面の簡単な説明】
【００２１】
一例として本開示の実施形態が、次の添付図面を参照してここに記載される。
【図１】図１は支払トランザクションに関わるエンティティ（当事者）の概略的表示である。
【図２】図２は、本開示の実施形態において使用するのに適切なスマート格納装置の概略的表示である。
【図３】図３は、本開示の一実施形態における、スマート格納装置と支払処理システムと２つの金融機関との的表示である。
【図４】図４は本実施形態による、トークン化された処理についての概略的表示である。
【図５】図５は、本実施形態による方法のフローチャートである。
【発明を実施するための形態】
【００２２】
下記の開示は、当業者がシステムを構成し且つ使用することができるようにするために提示され、特定の用途の文脈で提供される。当業者にとってこれらの実施形態に対する様々な変形は自明である。
【００２３】
下記の開示は、注文を出し、注文についての支払を提供し、支払を処理し、注文を受信する手段が、単一の技術システム（これはIoT（Internet of Things）の一部を構成する）において統合されるシステム及び方法を提供する。
【００２４】
具体的には、システムは、注文を出し注文の支払を処理する方法を提供する。ここで支払の完了は、物理的なプロダクトがシステムによって検出されるまで遅延する。上記処理を実行可能な単一の技術システムの使用によって、注文についての支払トランザクションについての、以前の異なる実施形態が、法的又は慣習的ではなく、技術レベルで互いに関連することが可能である。これは、注文についての支払を処理する以前の既知の方法に対して効果的である。というのも、それは、人による、出来事とエンティティ間の関連との理解の必要性を取り除くからである。これはまた、誤って処理された支払を取消すように以前要求されていた煩わしいコンピューティング処理を取り除く。
【００２５】
上記処理を効果的に組み合わせることができるシステムの一例は、支払ネットワーク提供者のサーバである。これは、インターネット対応のスマート格納装置（例えばスマート冷蔵庫であり支払を行うよう構成される）と通信可能である。背景技術として、既知の支払処理システム及びスマート格納装置の関連する詳細が下記で説明される。明細書は、これらが統合システムにおいてどのように統合されるかを開示する。
【００２６】
下記の本開示は、特定のスマート格納システム（例えばスマート冷蔵庫）を含む例を示す。しかし、当業者によって、スマート格納装置は、本開示の方法を記憶可能な任意のインターネット対応装置を示してよいことと、異なるスマート格納装置の使用のために本開示の方法が修正されてよいこととが理解される。したがってインターネット対応車両が、燃料用のスマート格納部として機能してよい。インターネット対応の木枠（crate）が、より一般的なスマート格納装置として機能してよい。
【００２７】
図１は、支払装置１０２が用いられて４当事者の支払システム上でトランザクションを実行するときに関わる、当事者動作モデルを示す。本開示の状況では、支払装置１０２は電子装置（例えばスマート格納装置）である。これは、オンライン販売者１０３のサーバと安全に通信可能であり、支払詳細（これは、支払カードの詳細に対応し又は支払カードにマッピングされてよい）を提供する。
【００２８】
販売者１０３は典型的には金融機関と契約を有し、支払カード又は支払装置１０２（これは、支払カードの詳細に対応する支払詳細と通信可能である）から支払を受け付ける。その金融機関（すなわち、販売者の銀行）はアクワイアラ機関１０４である。発行者機関１０５（すなわち、顧客の銀行）は、支払カードを特定の顧客に発行した金融機関である。アクワイアラ機関１０４及び発行者機関１０５は、支払処理システム１０１によってリンク（接続）される。販売者１０３とアクワイアラ機関１０４と支払処理システム１０１と発行者機関１０５は、共に、支払処理ネットワーク１０１を形成する。
【００２９】
図１の例示的動作モデルにおいて、支払装置１０２は、注文の支払につき、販売者１０３へ支払詳細を提供する。
【００３０】
販売者１０３は次いでアクワイアラ機関１０４へ承認要求を生成し通信する。アクワイアラ機関１０４は、その要求を支払処理システム１０１に転送する。これは、どの発行者機関１０５が支払詳細に関連付けられているかを判定する。いくつかの実施形態では、支払詳細は主要アカウント番号（PAN）（又は「資金供給PAN」）を含み、これは発行者機関での支払アカウントを識別する。他の実施形態では、支払詳細はトークンPANを含んでよい。これは支払処理システムが実際のPANにマッピング可能であり、発行者機関（下記参照）での支払アカウントを識別する。支払処理システム１０１は次いで、承認要求を、トランザクション承認のために、発行者機関１０５へ転送する。
【００３１】
本開示で使用される「トークンPAN」との用語は、トークン化システムを用いてトークン化されたPAN（例えばMastercardのMDESプラットフォーム、仮想カード番号（VCN）又は制御支払番号（CPN））を含む。
【００３２】
発行者機関１０５は次いで特定の基準（例えばアカウント状態）を確認し、その確認が肯定的な結果を返せば、承認要求を承認する。この承認は次いで、アクワイアラ機関１０４へ、支払処理システム１０１を介して転送される。アクワイアラ機関１０４は販売者１０３へ承認を送信する。
【００３３】
毎日何度か、アクワイアラ機関１０４はトランザクション記録を含むデータファイルを生成する。これは、それが関連付けられた様々な販売者によって、承認され完了されたものである。これらのファイルは次いで、清算提示メッセージとして、支払処理システム１０１へ提示される。清算提示メッセージは、支払処理システム１０１によって判定されたように修正され（例えば、関連手数料を控除し）、次いで、関連する発行者機関１０５へ転送される。受領した機関は次いで、清算提示において示されたトランザクションの清算を実行する。このとき、資金はアクワイアラ機関１０４へ転送される。
【００３４】
上記の処理では、承認要求と承認応答とは典型的には、既知のメッセージ規格に応じて送信されるメッセージの形式を取る。承認メッセージは典型的には複数のフィールドを含む。これは、支払金額と支払アカウント識別子（例えばPAN又はトークンPAN）とを含む。本開示では、ISO8583規格が、そのようなメッセージ規格の一例として使用される。もっとも、当業者は、他の規格及び変形例が使用されてよいことを理解する。
【００３５】
上記の処理では、清算処理は、既知のメッセージ規格に応じて送信及び処理される。清算提示情報は典型的には複数のフィールドを含む。これは、支払アカウント識別子を含む。本開示では、清算提示メッセージは、MasterCard Global Clearing Management System(GCMS)で使用されるIntegrated Product Messages(IPM)の形式を取る。もっとも当業者は、他の規格及び変形例が使用されてよいことを理解する。
【００３６】
図２はオンライン販売者１０３にアクセスするのに適切なスマート器具システム２００の概略図を示す。スマート器具システム２００は概して、主要な機能を、コンピューティング機能及び通信機能と組み合わせる。例えば１つの適切なスマート器具は、スマート冷蔵庫であり、これは冷却された格納部２７５を提供する物理的機能に、コンピューティング機能及び通信機能を組み合わせる。
【００３７】
スマート格納装置の他の例は車両であり、これはその燃料用容器をスマート格納装置として使用する一方、コンピューティング機能及び通信機能を有する。スマート器具システム２００は、スマート器具２００の機能を実装するエンジン２２０をホスティングするメモリ２１０と、中央処理装置（CPU）２３０と、入出力装置２４０（例えばキーボード又はスピーカ）と、表示部２５０（例えばタッチスクリーンディスプレイ）とを含む。スマート器具２００は更に、通信ノードを含む。これは無線又は有線の制御部２９０であってよく、通信ネットワーク２６０とのスマート器具２００の無線又は有線接続を支援及び制御する。スマート器具２００は更に、スマート器具の主要機能に関連する電子的に格納された詳細（例えばスマート冷蔵庫の中身の詳細）及び選択的に追加の情報データ（例えば装置についての１以上の動作特徴、例えばスマート冷蔵庫の動作温度）を維持するスマートデータ記憶部２７０を含んでよい。
【００３８】
スマートデータ記憶部２７０は例えばデータベースの形式であってよい。それはスマート器具２００の内部又は外部であってよく、例えば、ユーザの住居に位置するサーバ上に実装されてよいし、ユーザの住居から遠隔に実装されてよい。スマートデータはスマートデータ記憶部２７０内への格納のために、スマート器具２００に組み込まれた１以上のセンサ２８０を介して、収集されてよい。例えばセンサは、格納のために、スマート冷蔵庫の物理的格納部１７５に配置された品目を検出及び認識するためのRFIDタグリーダを含んでよい。適切なセンサの他の例は、QRコードリーダ、バーコードリーダ、重さ測定器、カメラ、及び光電セルを含む。
【００３９】
図３は本開示による方法を実行するために使用可能なシステムの一部の概略図を示す。システムは、スマート格納装置２００と支払処理システム１０１（これはアクワイアラ機関１０４と発行者機関１０５と通信する）とを含む。支払処理システム１０１は、スマート格納装置２００の通信ノード２９０を介してスマート格納装置２００と通信するよう構成された少なくとも１つの通信ノード１１０を含む。同一の通信ノード１１０又は更なる通信ノード１１０がまた、アクワイアラ機関１０４及び発行者機関１０５と通信するよう構成されてよい。支払処理システム１０１は、通信ノード１１０を動作させるよう構成された１以上のプロセッサ１０７を含む。
【００４０】
注文を開始するために、スマート格納装置２００はウェブブラウザ又はアプリを介して、オンライン販売者１０３のオンライン店舗にアクセスする。販売者１０３とスマート格納装置との間の通信は、スマート格納装置２００の通信ノード２９０を用いて、送受信される。
【００４１】
ユーザによって又はスマート格納装置２００によって自動的に、オンライン販売者１０３からの購入用品目が選択される。スマート格納装置２００はオンライン販売者１０３又はオンライン販売者１０３に関連付けられた支払ゲートウェイに支払詳細を提供する。
【００４２】
いくつかの実施形態では、ユーザはスマート格納装置に、ユーザインタフェース（例えばタッチスクリーンインタフェース）を介して、注文を開始するよう指示する。他の実施形態では、注文は自動的に販売者１０３にて出される。自動注文処理が、所定の基準（例えば所定時間が経過したこと（週次の注文）、又は、装置のセンサがプロダクトの供給が枯渇している又は完全に消耗したと検出すること）に応じて誘起されてよい。
【００４３】
いくつかの実施形態では、注文を出し支払詳細を提供する上記ステップはスマート格納装置２００で実行されず、代わりに、別のコンピューティング装置で実行される。支払詳細は、ユーザの支払カードの代理として動作するトークンPANを含む。トークンPANは支払ネットワークシステムによって、支払処理中に、ユーザの実際のPANにマッピングされてよく、ユーザに属する正しい支払アカウントを識別する。トランザクションがリンクされた支払アカウントを示すのと同様に、所定のトークンPANがまた設定され、支払処理システム１０１についてのトランザクションについての更なる情報を提供してよい。例えば支払処理システムは、特定のトークンPANが、特定の条件（例えば、特定の販売者への最大のトランザクション金額又は支払）を満たすトランザクションにおいてのみ使用を許可されることを認識してよいし、それらの条件を満たさないトランザクションを防ぐことを認識してよい。本開示ではトークンPANが使用され、支払ネットワーク提供者に対して、支払が支払装置（これは、統合支払及び格納システムの一部を形成する）によってなされていることと、支払が本開示の方法に応じて処理されることとを示す。具体的には、トークンPANは支払処理システム１０１に対し、トランザクションの清算提示が、注文受領がスマート格納装置２００によって検出されるまで拒否されることを示してよい。
【００４４】
スマート格納装置に関連付けられたトークンPANのプロビジョニング処理に関する更なる詳細が、下記図４に関して議論されてよい。
【００４５】
支払詳細を販売者１０３に提供した後、承認メッセージが、図１に開示されるように、生成及び処理される。成功した承認メッセージをそのアクワイアラ機関から受信すると、販売者１０３はスマート格納装置２００に対し、注文が出されたことを確認する。いくつかの実施形態では、販売者２００はまた、スマート格納装置に、注文された品目を特徴付けるデータを提供する。特徴付けるデータの例は、１以上の品目に添付されたRFIDタグに対応するRFIDタグデータと、品目の量に対応する量データ（例えば石油量）と、１以上のプロダクトの重さに対応する重さデータと、品目の構成部分の数に対応する数データと、品目の１つに添付されたバーコードに対応するバーコードデータと、品目の１つに添付されたQRコードタグに対応するQRコードデータとを含む。例えば流体を注文するとき、販売者は注文される流体の量と重さとを特定してよい。いくつかの実施形態では、スマート格納装置２００は所定の種別の特徴付けデータのみ（例えばRFIDデータ又は重さデータ）を検出又は測定するよう構成され、その種別のデータを販売者１０３から要求する。
【００４６】
販売者１０３は後の時点で、アクワイアラ機関に対して、成功してなされた承認の一覧（注文についての承認を含む）を提供する。これは例えば、承認日の最後になされてよい。更に後の時点（例えば次の日）で、アクワイアラ機関は支払処理システム１０１に、清算提示ファイルを提供する。これは、関連付けられた販売者から受信された承認に対応する複数の清算提示メッセージを含む。
【００４７】
標準的な清算提示メッセージについては、支払処理システム１０１は多くの確認を実行し、あるいは清算提示を拒否し、又はそれらを修正された形式で発行者機関１０４に送信する。対照的に、他の清算提示メッセージは、付加価値つきサービス（VAS）と関連付けられたものと判定される。これは、清算提示処理が、標準トランザクションに関して修正され、代わりに、遅延した清算プロトコルに応じて処理されることを示す。
【００４８】
提示メッセージが遅延清算プロトコルに応じて処理されるか否かを判定するために、支払処理システム１０１は、遅延清算プロトコルに関連付けられた複数のトークンPANを含むデータベースへのアクセスを有する。支払処理システム１０１は次いで、トランザクションが遅延清算プロトコルに応じて処理されることを、データベースを確認することによって判定し、支払で使用されるトークンPANが遅延清算プロトコルに関連付けられるか否かを判定する。いくつかの実施形態では、支払処理システム１０１はこれを、（例えばISO8583規格の承認DE63フィールドを用いることによって）承認メッセージを受信すると判定する。他の実施形態では、支払処理システム１０１はこれを、（例えばIPMの提示DE63フィールドを用いることによって）清算提示メッセージを受信すると判定する。
【００４９】
遅延清算プロトコルスキームにより処理されると判定された清算提示メッセージを受信すると、清算メッセージ提示は次いで、プロダクトが受領されたことを示すメッセージが、スマート格納装置２００から受信されたか否かを判定する。もしそのようなメッセージがスマート格納装置２００から受信されたなら、清算提示は、通常のものとして処理される。そのようなメッセージが受信されなければ、清算提示は拒否される（すなわち、清算提示が処理されないことを示すエラーメッセージがアクワイアラ機関に返される）。
【００５０】
スマート格納装置２００によってプロダクトが受領されたことを示すメッセージが受信されたか否かを判定する処理は、下記の２つのスキームのうち１つに応じて実行されてよい。
【００５１】
第１のスキームによれば、支払処理システム１０１は、承認メッセージが受信されるとき、支払が遅延清算プロトコルに応じて処理されるべきことを判定する。この時点で、承認に対応する記録が遅延データベースにて作成される。清算提示メッセージが受信されると、データベースは確認され、対応する承認についての記録が存在するか否かを判定する。もしそのような記録が存在すれば、清算提示は拒否される。注文の充足を確認するプロダクト受領メッセージがモバイル電子装置から受信されると、関連トランザクションに関連付けられた記録が次いで遅延データベースから除去される。後続の清算提示メッセージは次いで許可される。対応する承認についての遅延データベースを確認することはもはや一致を返さない。
【００５２】
第２のスキームによれば、支払処理システム１０１は、清算提示メッセージが受信されるとき、支払が遅延清算プロトコルに応じて処理されるべきことを判定する。このプロトコルによれば、清算提示メッセージを受信すると、支払処理システム１０１はプロダクトが受領されたことを確認するために、スマート格納装置２００を呼び出す。清算提示を処理することは、そのような確認がスマート格納装置２００から受信され又は拒否されたときにのみ継続される。
【００５３】
スマート格納装置２００は、販売者１０３によって提供された特徴付けデータに対応するデータを検出又は測定するよう構成された少なくとも１つのセンサの提供を受ける。いくつかの実施形態では、スマート格納装置２００は更に、注文された品目が受領されると、支払処理システム１０１へ、受領メッセージを生成及び送信するよう構成される。他の実施形態では、スマート格納装置は、支払処理システム１０１からの呼び出しに応答して、品目の受領を確認又は拒否する。注文された品目の受領は、少なくとも１つのセンサによって測定されたデータを、販売者１０３によって提供された特徴付けデータと比較することによって、検出される。例えば販売者は注文された品目上のRFIDタグを特徴付けるデータを提供してよい。RFIDリーダを用いて、特徴付けデータに対応するRFIDタグを検出すると、スマート格納装置２００は注文の受領を確認するメッセージを支払処理システム１０１に送信する。
【００５４】
図４は本実施形態による、トークンPANのプロビジョニングについての概略的表示である。
【００５５】
注文を開始すると、スマート格納装置２００はトークンPANのプロビジョニング要求４０２を支払処理システム１０１に送信する。
【００５６】
トークンPANのプロビジョニング要求４０２は支払カードに関連付けられたPAN（「資金供給PAN」）を含む。トークンPANのプロビジョニングメッセージ４０２は支払処理システム１０１に対して、生成されたトークンPANは、支払処理システム１０１によって支払カード４０３に関連付けられることを示す。支払処理システム１０１はトークンPANを支払カードにリンクさせる記録４０４をトークンデータベース４０５内で作成する。
【００５７】
スマート格納装置２００はまた、支払処理システム１０１へ、標示４０６（これは、トークンPANを用いてなされたトランザクションが遅延清算プロトコルに応じて処理されることを示す）を提供する。標示は、トークンPAN４０１から分離して送信されるデータを含んでよい。代替的に、トークンPAN４０１は、遅延清算プロトコルに関連付けられて理解される形式にて生成されてよい。例えば、最初の４桁が例えば5550から5559までの範囲にあるトークンPANは、遅延清算プロトコルトランザクションにおいて使用するために保存されてよい。
【００５８】
したがって支払処理システム１０１が承認要求又はトークンPANを有する清算提示を受信すると、支払処理システム１０１はトークンPANを支払カード４０３（これはトークンPANの生成時に支払処理システム１０１上で識別される）にマッピング可能であり、また、承認要求又は清算提示メッセージが、遅延清算プロトコルに応じて処理されるトランザクション分類に属すると判定可能である。
【００５９】
トークンPANのプロビジョニング要求に応じて、支払処理システム１０１はトークンPANを含むメッセージ４０１を返す。これは、メッセージ規格に応じて承認メッセージのPANフィールドに応じてフォーマットされる一連の番号であってよい。
【００６０】
いくつかの実施形態では、トークンPAN４０１はいくつかの異なる注文に関連して支払を行うために使用される。そのような実施形態の１つでは、トークンPAN４０１は最初の注文を出すときに生成されてよい。同一のトークンPAN４０１を用いた後続の注文は、新たなトークンPANを生成するステップを要求しない。他の実施形態の１つでは、トークンPAN４０１は、装置がユーザに対して最初に登録されるときに、生成されてよい。
【００６１】
図５は支払処理システム１０１のネットワークサーバによって実行される本開示の方法におけるステップを示すフローチャートである。
【００６２】
ステップ５０１にて、ネットワークサーバは、支払トランザクションの承認のために、アクワイアラ機関１０４から承認要求メッセージを受信する。承認要求は、トークン主要アカウント番号（第２の金融機関での支払アカウントに関連付けられたPANであって、１以上のプロダクトの存在を検出するよう構成された電子装置に関連付けられたPAN）を含む。
【００６３】
ステップ５０２にてネットワークサーバは、トークンPANに基づいて、支払トランザクションが遅延清算プロトコルに応じて処理されることを判定する。これによって、ネットワークサーバは遅延清算プロトコルに関連付けられた複数のトークンPANを含むデータベースにアクセスし、トークンPANがデータベース内の複数のトークンPANの１つであると判定する。
【００６４】
ステップ５０３にてネットワークサーバは、第１の金融機関のサーバから、少なくとも１つの清算提示メッセージを含む清算提示ファイルを受信する。清算提示メッセージは第２の金融機関から第１の金融機関への支払につき処理されるトランザクションの詳細を含む。
【００６５】
ネットワークサーバは次いで、支払トランザクションを遅延清算プロトコルに応じて処理される。
【００６６】
ステップ５０４にてネットワークサーバは、ネットワークサーバが電子装置から受領メッセージ（これは電子装置のセンサが１以上のプロダクトの存在を検出したことを示す）を受信したか否かを判定する。
【００６７】
ステップ５０５にて電子装置のセンサが１以上のプロダクトの存在を検出したことを示すメッセージをネットワークサーバが受信しないと判定すると、ネットワークサーバはエラーメッセージ（これは清算提示メッセージが拒否されたことを示す）を第１の金融機関に返す。
【００６８】
本開示により処理されるトランザクションを示す例は次の通りである。
【００６９】
スマート冷蔵庫は地元のスーパーマーケットのオンライン店舗にて牛乳の注文を出す。注文を出すとき、遅延清算プロトコルに関連付けられたトークンPANが生成され、地元のスーパーマーケットの支払ポータルに提供される。購入の承認を確認すると、注文はスーパーマーケットによって受信され、牛乳に対応するRFIDコードと重さとが、スマート冷蔵庫に提供される。
【００７０】
続いて、販売者に関連付けられたアクワイアラ機関は、清算提示ファイル（これは牛乳の注文のための提示メッセージを含む）を、支払処理ネットワーク１０１に提出する。
【００７１】
支払提示メッセージを受信すると、支払ネットワーク提供者は、牛乳注文の到着の確認が受信されたか否かを確認する。もし確認が受信されなければ、支払処理ネットワークは支払提示メッセージを拒否し、エラーメッセージをアクワイアラ機関に送信する。
【００７２】
翌日、牛乳の注文が受信され、１カートンの牛乳がスマート冷蔵庫の物理的格納部に配置される。スマート冷蔵庫内のRFIDリーダは、１カートンの牛乳上のRFIDタグが、スーパーマーケットによって提供されたRFIDコードに対応することを検出する。スマート冷蔵庫内の重さセンサは、物理的格納部への追加対象物が、スーパーマーケットによって提供された重さに対応する重さを有していることを検出する。したがってスマート冷蔵庫は、１カートンの牛乳を検出したことを自身で検討する。
【００７３】
１カートンの牛乳を検出すると、スマート冷蔵庫は確認メッセージ（これは注文の受領を確認する）を支払処理ネットワークに送信する。
【００７４】
更なる清算提示ファイル（これは牛乳の注文についての以前拒否された清算提示メッセージを含む）がアクワイアラ機関によって送信される。
【００７５】
注文の受領を確認するメッセージがスマート冷蔵庫から受信されたと判定すると、支払処理ネットワークは、標準的な手続き（例えば図１を参照して開示されたもの）に応じて、清算提示メッセージを処理する。
【００７６】
本開示の実施形態の仕様と実用とを考慮すれば、当業者にとって他の実施形態も自明である。仕様と例とは、例示的なものに過ぎないとして考慮されたい。
【００７７】
更に、本願は、特定の順番で方法のステップ又は手順を列挙する。しかし、いくつかの実施形態では、いくつかのステップが実行されるように順番を変更することが可能であり又は便宜である。本開示の特定の方法のステップ又は順序は、特許請求の範囲においてその順番が明示的に特定されない限り、順番を特定するものと理解されてはならない。すなわち、動作／ステップは、別段の定めが無い限り、任意の順番で実行されてよい。実施形態は本開示が開示されるよりも多くの又は少ない動作／ステップを含んでよい。更に、特定の動作／ステップを、他の動作より前に、同時に又はその後に実行することが、本開示に沿ったものであることを理解されたい。
【００７８】
本開示の方法は、コンピュータ可読媒体（これは、非一時的なコンピュータ可読媒体、ストレージ装置及び／又はメモリ装置を含むがこれらに限られない）に実装される実行可能命令としてエンコードされてよい。そのような命令は、プロセッサ（又は１以上のコンピュータ、プロセッサ及び／又は他の装置）によって実行されると、プロセッサ（１以上のコンピュータ、プロセッサ及び／又は他の装置）に、本開示の方法の少なくとも一部を実行させる。非一時的なコンピュータ可読媒体は、揮発メモリ、非揮発メモリ、磁気及び光記憶装置（例えばディスクドライブ、磁気テープ、CD（コンパクトディスク）、DVD（デジタル多目的ディスク）等）、又はコード及び／又はデータを格納可能な他の媒体を含むが、これらに限られない。
【００７９】
方法及び処理はまた、ハードウェアモジュール、装置又はファームウェアに部分的又は全体的に実装されてよい。ハードウェアモジュール又は装置が起動されると、それらは関連付けられた方法及び処理を実行する。方法及び処理は、コード、データ及びハードウェアモジュール又は装置の組み合わせを用いて実装されてよい。
【００８０】
本開示で使用するのに適した処理システム、環境及び／又は構成の例は、埋め込みコンピュータ装置、パーソナルコンピュータ、サーバコンピュータ（特有の又はクラウド（仮想）サーバ）、携帯型又はラップトップ装置、マルチプロセッサシステム、マイクロプロセッサを基礎としたシステム、セットトップボックス、プログラマブル消費者電気機器、携帯電話、ネットワークPC、ミニコンピュータ、メインフレームコンピュータ、上記のシステム又は装置のうち任意のものを含む分散コンピューティング環境、又はそれに類似したものを含んでよいが、これらに限られない。本開示のハードウェアモジュール又は装置は、特定用途の集積回路（ASIC）、フィールドプログラマブルゲートアレイ（FPGA）、専用又は共有プロセッサ、及び／又は他のハードウェアモジュール若しくは装置を含むが、これらに限られない。
【００８１】
本開示の受信装置又は送信装置はスタンドアロンであってよいし、トランシーバに含まれてよい。ユーザ入力装置は、マイクロフォン、ボタン、キーパッド、タッチスクリーン、タッチパッド、トラックボール、ジョイスティック及びマウスを含んでよいがこれらに限られない。ユーザ出力装置は、スピーカ、グラフィカルユーザインタフェース、指示光及び点字ディスプレイを含んでよいがこれらに限られない。ユーザインタフェース装置は、１以上のユーザ入力装置、１以上のユーザ出力装置、又はその両方を含んでよい。
【図１】
0006800343.tif 000002
【図２】
0006800343.tif 000003
【図３】
0006800343.tif 000004
【図４】
0006800343.tif 000005
【図５】
0006800343.tif 000006